(57)【要約】【課題】本発明は、感光体ドラムやベルトの長寿命化を図るとともに、カラー画像の色ズレや色ムラを抑え、かつ生産性の低下を低減できる画像形成装置を提供することを目的とする。【解決手段】本発明に係る画像形成装置の代表的な構成は、クリーニング時間内に、転写フレーム28によってカラー画像形成に関与する全ての感光体ドラム１Ｃ、１Ｍ、１Ｙ、１Ｋに中間転写ベルト９が接触した状態とし、単色画像形成後にカラー画像を形成する際には、クリーニング時間又は待機時間内に中間転写ベルト９を回転させることを特徴とする。【選択図】      図５
2006163245.tif 000002
【特許請求の範囲】
【請求項１】
現像剤像を担持する複数の像担持体と、該像担持体に接離可能な無端ベルトと、画像形成に使用される前記像担持体の数が異なる複数の画像形成モードに合わせて、前記無端ベルトを画像形成に関与する前記像担持体に接触させ、画像形成に関与しない像担持体から離間させる接離手段と、を有し、前記像担持体又は前記無端ベルトをクリーニングするクリーニング時間と、画像形成を可能とするために装置の駆動を安定させる駆動安定時間と、を設けた画像形成装置において、
前記クリーニング時間内又は前記駆動安定時間内に、前記接離手段によって全ての像担持体に前記無端ベルトが接触した状態とし、
前記接離手段により前記無端ベルトを画像形成に関与する複数の前記像担持体に接触させて、複数の前記像担持体が関与する複数色画像形成モードで画像形成を行う際に、前記クリーニング時間内又は前記駆動安定時間内に前記無端ベルトを回転させることを特徴とする画像形成装置。
【請求項２】
前記クリーニング時間内又は前記駆動安定時間に前記無端ベルトを回転させることにより、実質的に、前記無端ベルトのアライメント補正を行うことを特徴とする請求項１項の画像形成装置。
【請求項３】
前記複数色画像形成モード終了後に単数の前記像担持体が関与する単数色画像形成モードに切り替える場合には、単数色画像形成モード終了後に複数色画像形成モードに切り替える場合に比べて、クリーニング時間又は駆動安定時間が短いことを特徴とする請求項１に記載の画像形成装置。
【請求項４】
前記単数色画像形成モード終了後にさらに単数色画像形成モードに切り替える場合には、単数色画像形成モード終了後に複数色画像形成モードに切り替える場合に比べて、クリーニング時間又は駆動安定時間が短いことを特徴とする請求項１に記載の画像形成装置。
【請求項５】
前記複数色画像形成モード終了後にさらに複数色画像形成モードに切り替える場合には、単色画像形成終了後に複数色画像形成モードに切り替える場合に比べて、クリーニング時間又は駆動安定時間が短いことを特徴とする請求項１に記載の画像形成装置。
【請求項６】
前記無端ベルトは、前記像担持体上に形成された各色の現像剤像が転写される中間転写ベルトであることを特徴とする請求項１〜請求項４のいずれか１項に記載の画像形成装置。
【請求項７】
前記無端ベルトは、前記像担持体上に形成された各色の現像剤像が転写される転写材を搬送する転写材搬送ベルトであることを特徴とする請求項１〜請求項４のいずれか１項に記載の画像形成装置。 
【発明の詳細な説明】
【技術分野】
【０００１】
本発明は、カラー複写機やカラープリンタなどの画像形成装置に関する。
【背景技術】
【０００２】
従来の近年、カラー複写機、カラープリンタ等の画像形成装置にあっては、単色（黒色）画像形成時においても、カラー画像形成時と同様に４つの感光体ドラムが動作する状態にあると、クリーニングのための弾性ブレードによる摩擦やバイアス電圧をかけることによる感光ドラムの感光層の劣化により、画像形成に寄与していないにもかかわらず必要以上に感光体ドラムの寿命低下を招いてしまう。
【０００３】
そこで、４連タンデム方式において、フルカラー画像形成時以外は黒色画像形成部以外の転写材搬送ベルトユニットを変位させたものが提案されている（特許文献１参照）。また、タンデム−中間転写方式において、フルカラー画像形成時以外は黒色画像形成部以外の中間転写ベルトユニットを変位させたものが提案されている（特許文献２参照）。
【０００４】
かかる画像形成装置は、単色の画像（例えば黒色）を形成する場合にのみ、転写材搬送ベルトもしくは中間転写ベルトを変位させることにより、画像形成に関係のない感光体ドラムの長寿命化を図っている。
【０００５】
【特許文献１】特開平６−２５８９１４号公報
【特許文献２】特開２００２−１０８０４５号公報
【発明の開示】
【発明が解決しようとする課題】
【０００６】
しかしながら、上記従来の画像形成装置では、カラーモード（カラー画像形成）から白黒モード（単色画像形成）、もしくは白黒モードからカラーモードに切り替わる際に、ベルト（転写材搬送ベルトもしくは中間転写ベルト）が変位する。このため、ベルトを支持しているローラのアライメントが崩れ、感光体ドラムとベルトとの相対的な位置ずれが生じる。
【０００７】
単色画像形成時には、感光体ドラム上に形成されたトナー像が、転写シート等の転写材上に転写されるだけであるため、特に問題とはならない。しかし、カラー画像形成時には、各色のトナー像の位置がずれて、複数色のトナー像を互いに重ね合わせることによって得られるカラー画像の色相や明度あるいは彩度が変化する。これが、色ズレや色ムラ等として、画質的に劣ったものとなるという問題点があった。
【０００８】
色ズレや色ムラ等を解消するためには、ベルトがリブに突き当たり感光体ドラムとベルトとの相対的な位置ズレが生じないようになるまで、画像形成前にベルトを空回転する必要があり、生産性の低下を余儀なくされていた。
【０００９】
そこで本発明は、感光体ドラムやベルトの長寿命化を図るとともに、カラー画像の色ズレや色ムラを抑え、かつ生産性の低下を低減できる画像形成装置を提供することを目的とする。
【課題を解決するための手段】
【００１０】
上記課題を解決するために本発明に係る画像形成装置の代表的な構成は、現像剤像を担持する複数の像担持体と、該像担持体に接離可能な無端ベルトと、カラー画像形成時には前記無端ベルトをカラー画像形成に関与する全ての像担持体に接触させ、単色画像形成時には前記無端ベルトを画像形成に関与しない像担持体から離間させる接離手段と、を有し、画像形成後に前記像担持体又は前記無端ベルトをクリーニングするクリーニング時間と、該クリーニング時間経過後に次の画像形成まで待機する待機時間と、を設けた画像形成装置において、前記クリーニング時間内に、前記接離手段によってカラー画像形成に関与する全ての像担持体に前記無端ベルトが接触した状態とし、単色画像形成後にカラー画像を形成する際には、前記クリーニング時間又は前記待機時間内に前記無端ベルトを回転させることを行うことを特徴とする。
【発明の効果】
【００１１】
本発明によれば、感光体ドラムやベルトの長寿命化を図るとともに、カラー画像の色ズレや色ムラを抑え、かつ生産性の低下を低減できる。
【発明を実施するための最良の形態】
【００１２】
[第一実施形態]
本発明に係る画像形成装置の第一実施形態について、図を用いて説明する。図１は本実施形態にかかる画像形成装置の構成図、図２は像担持体及び中間転写ユニット21の部位を拡大したものである。図２（Ａ）は４色全ての画像形成が行われる場合（複数色画像形成モードであるカラーモード）を示し、図２（Ｂ）はブラックのみの画像形成が行われる場合（単数色画像形成モードである白黒モード）を示している。尚、図２において、各符号の添え字（Ｙ，Ｍ，Ｃ，Ｋ）はそれぞれイエロー、マゼンタ、シアン、ブラックのためのパーツであることを示す。
【００１３】
（フルカラー複写機の構成）
先ず、画像形成装置の一例たる電子写真方式を採用するフルカラー複写機の構成について簡単に説明する。図１、図２に示すように、フルカラー複写機は、像担持体である感光体ドラム１、クリーニングユニット２、現像ユニット３、転写外ローラ13、原稿台16、リーダーユニット17、レーザースキャナユニット18、定着ユニット19、中間転写ユニット21、給送ローラ25、給送カセット26等を備えている。
【００１４】
フルカラー複写機は、画像形成に使用される感光体ドラム１の数が異なる複数の画像形成モード（単色モード、カラーモード）を有している。
【００１５】
中間転写ユニット21は、テンションローラ６、テンションスプリング７、転写駆動ローラ10、アイドラローラ11、転写ローラ８、中間転写ベルト９、接離手段である転写フレーム28から構成されている。
【００１６】
転写駆動ローラ10、アイドラローラ11は、本体枠（不図示）に固定されている。テンションローラ６、テンションスプリング７、転写ローラ８Ｋ、８Ｃ、８Ｍ、８Ｙは、転写フレーム28に支持されている。転写フレーム28は転写ローラ８Ｋを中心に回動可能である。
【００１７】
図２（Ａ）に示すように、複数の感光体ドラム１が関与する複数色画像形成モードであるカラーモード時には、カラー画像形成に関与する全ての感光体ドラム１Ｃ、１Ｍ、１Ｙ、１Ｋと中間転写ベルト９とが接触している。一方、図２（Ｂ）に示すように、単数の感光体ドラム１が関与する単数色画像形成モードである白黒モード時には、感光体ドラム１Ｋのみが中間転写ベルト９と接触しており、画像形成に関与しない感光体ドラム１Ｃ、１Ｍ、１Ｙは中間転写ベルト９と離間している。
【００１８】
（中間転写ベルト９のアライメント補正）
続いて、転写フレーム28の回動に伴う、中間転写ベルト９の動き（中間転写ベルト９のアライメント補正）を説明する。図３は中間転写ユニット21の上視図である。テンションローラ６、転写駆動ローラ10は、中間転写ベルト９が回転するとリブ30側に中間転写ベルト９を移動するように形成されている。例えば、テンションローラ６、転写駆動ローラ10にテーパーを設け、中間転写ベルト９をリブ30側に移動することとしてもよい。これにより、中間転写ベルト９を回転するだけで、リブ30を基準として中間転写ベルト９のアライメント補正ができる。
【００１９】
まず、図３（Ａ）に示すように、中間転写ベルト９がベルト幅方向両側に設けられたリブ30の中間にあるとする。ここで、白黒モードからカラーモードに切り替わると、転写フレーム28が図２（Ｂ）の矢印Ａ方向に回動し、図２（Ａ）に示すように４つの感光体ドラム１Ｃ〜１Ｋと中間転写ベルト９とが接触したカラーモードとなる。
【００２０】
この際、テンションローラ６のアライメントがずれる。このテンションローラ６のアライメントがずれた状態で、中間転写ベルト９が、図２（Ａ）の矢印Ｚ方向へ回転する。これにより、中間転写ベルト９が、ベルト幅方向（矢印Ｘ方向もしくは矢印Ｙ方向）に移動し、転写フレーム28に設けられたリブ30に接触する。例えば、図３（Ｂ）に示すように、中間転写ベルト９が矢印Ｘ方向に移動し、リブ30に接触する。中間転写ベルト９がリブ30に接触した状態（アライメント補正完了状態）になるまで、画像形成は行わない。
【００２１】
（画像形成動作）
次に、上記構成のフルカラー複写機の画像形成動作について説明する。
【００２２】
図４は画像形成動作のフローチャートである。図４に示すように、原稿台16に置かれた原稿がリーダーユニット17により光学的に読み取られ、画像データがレーザースキャナユニット18に伝えられる（画像データが画像形成装置に入力される）と（４０１）、画像データが白黒画像かカラー画像かの判断を行う（４０２）。
【００２３】
カラー画像（カラーモード）の場合は、中間転写ベルト９及び、感光体ドラム１、ポリゴンモータ（不図示）の駆動を開始する（４０３）。この時、カラーモードであるのでアライメントのずれにより色ズレが発生するため、中間転写ベルト９がリブ30に接触するまで中間転写ベルト９を回転し、中間転写ベルト９のアライメント補正を行う（４０４）。
【００２４】
白黒画像（単色モード）の場合は、中間転写ベルト９及び、感光体ドラム１、ポリゴンモータ（不図示）の駆動開始に加えて、さらに中間転写ベルト９の離間を行う（４０５）。この時、単色モードであるのでアライメントがずれていても色ズレが発生しないため、中間転写ベルト９のアライメント補正は行わない。
【００２５】
カラーモードの場合には中間転写ベルト９がリブ30に接触した後、単色モードの場合には中間転写ベルト９の離間をした後、ポリゴンモータの回転数が所定回転数に達したかどうかを判断する（４０６）。
【００２６】
所定回転数に達した場合は、レーザースキャナユニット18は、画像信号に基づき、レーザー発信ユニット（不図示）からのレーザー光を、ポリゴンミラーにて走査すると共に、幾つかの光学レンズ（不図示）を通し折り返しミラー24で光路を導き感光体ドラム１へ照射する。
【００２７】
感光体ドラム１がリーダーユニット17により読み取った画像信号と同期回転することで、レーザースキャナユニット18からの走査レーザー光によって感光体ドラム１上に潜像が形成される（４０７）。
【００２８】
感光体ドラム１に形成された潜像は、現像手段たる現像ユニット３によってトナーにより可視化（現像）がなされる。可視化された画像は、転写ローラ８により、無端ベルトである中間転写ベルト９に転写される（４０８）。
【００２９】
単色モードの場合は、ブラックのみ上記動作を行う。カラーモードの場合は、上記プロセスを連続的にイエロー、シアン、マゼンタ、ブラックの各色毎に行い、中間転写ベルト９が矢印Ｚ方向にプロセススピードを保って動くことに伴い、各色のトナー像が中間転写ベルト９に順次重ねて転写される。
【００３０】
一方、転写材である転写シート（不図示）は給送カセット26に積載されている。転写シートは給送ローラ25によりピックアップされ、転写シート搬送路22に沿って複数の搬送ローラ（不図示）により搬送される。そして、転写駆動ローラ10と転写外ローラ13のニップにて、中間転写ベルト９に転写された各色のトナー像が、転写シートに転写される（４０９）。その後、各色のトナー像が定着ユニット19で熱と圧力を加えられることにより、転写シート上に定着され排出される。
【００３１】
転写シートへの転写が終了すると（４１０）、感光体ドラム１、中間転写ベルト９のクリーニングが開始される。そして、このクリーニング時間内に常に中間転写ベルト９をカラーモード側に移動する（４１１）。即ち、単色モードで画像形成を行った場合は、中間転写ベルト９を感光体ドラム１に接触させるように移動する。また、カラーモードで画像形成を行った場合は、中間転写ベルト９を感光体ドラム１に接触した状態を維持する。
【００３２】
感光体ドラム１上に残ったトナーはクリーニングユニット２で回収され、感光体ドラム１がクリーニングされる。また、中間転写ベルト９上に残ったトナーは、中間転写ベルトクリーナー27で回収され、中間転写ベルト９がクリーニングされる。中間転写ベルト９のクリーニングが終了した時点で、プリントジョブが終了する（４１２）。
【００３３】
（中間転写ベルト９のアライメント補正のタイミング）
図５（ａ）は前のジョブで単色モードでプリントし、次のジョブでカラーモードでプリントした場合のタイミング図である。図５（ａ）に示すように、前のジョブの画像形成が終了すると（ｔ１１）、ポリゴンモータの回転を停止し、さらに単色モード状態の中間転写ベルト９をカラーモード状態へ移行を開始する（ｔ１２）。転写シートに転写しきれなかった中間転写ベルト９上に残ったトナーを中間転写ベルトクリーナー27で取り除くクリーニングを行うために、中間転写ベルト９の回転を続ける。そしてクリーニング時間経過後、中間転写ベルトクリーニング終了信号に伴い（ｔ１３）、中間転写ベルト９の駆動を停止し、プリントジョブの終了となる（ｔ１４）。
【００３４】
次のジョブの画像信号を受信し（ｔ２１）、中間転写ベルト９、ポリゴンモータの回転を開始し（ｔ２２）、さらに画像信号がカラーか単色かの判断を行う。そして、ポリゴンモータの回転が安定し（ｔ２３）、さらに中間転写ベルト９のアライメント補正が終了し（ｔ２４）、画像形成前の待機時間が経過した後に、カラーモードでの画像形成を開始する（ｔ２５）。
【００３５】
このように、画像形成後に中間転写ベルト９をクリーニングするクリーニング時間（ｔ１１〜ｔ１３）内に、転写フレーム28によってカラー画像形成に関与する全ての感光体ドラム１Ｃ、１Ｍ、１Ｙ、１Ｋに中間転写ベルト９が接触した状態とする。また、単色画像形成後にカラー画像を形成する際には、クリーニング時間経過後に次の画像形成まで待機する待機時間（ポリゴンモータの回転が安定するまでの時間）（ｔ２１〜ｔ２３）内に中間転写ベルト９のアライメント補正を行う。
【００３６】
これにより、感光体ドラム１や中間転写ベルト９の長寿命化を図るとともに、カラー画像の色ズレや色ムラを抑えることができる。そしてさらに、中間転写ベルト９のアライメント補正等のために、別途時間を割く必要がなく、画像形成が可能になるまでのダウンタイムを低減し、生産性の低下を低減できる。
【００３７】
図５（ｂ）は前のジョブでカラーモードでプリントし、次のジョブで単色モードでプリントした場合のタイミング図である。図５（ｂ）に示すように、前のジョブの画像形成が終了すると（ｔ３１）、ポリゴンモータの回転を停止する（ｔ３２）。この時、中間転写ベルト９はカラーモード状態を維持する。転写シートに転写しきれなかった中間転写ベルト９上に残ったトナーを中間転写ベルトクリーナー27で取り除くクリーニングを行うために、中間転写ベルト９の回転を続ける。そしてクリーニング時間経過後、中間転写ベルトクリーニング終了信号に伴い（ｔ３３）、中間転写ベルト９の駆動を停止し、プリントジョブの終了となる（ｔ３４）。
【００３８】
次のジョブの画像信号を受信し（ｔ４１）、中間転写ベルト９、ポリゴンモータの回転を開始し（ｔ４２）、さらに画像信号がカラーか白黒かの判断を行う。この場合、白黒画像なので、中間転写ベルト９を単色モード状態へ移行を開始する（ｔ４２）。ポリゴンモータの回転が安定し（ｔ４３）、画像形成前の待機時間が経過した後に、単色モードでの画像形成を開始する（ｔ４４）。
【００３９】
この場合では単色モードであり、テンションローラ６のアライメントがずれても、色ズレと言う問題は発生しない。このため、中間転写ベルト９のアライメント補正を行うことなく画像形成することができる。これにより、カラー画像形成後にさらに単色画像の形成する場合（複数色画像形成モード終了後にさらに単数色画像形成モードに切り替える場合）には、クリーニング時間、待機時間を短く設定することも可能となり、画像形成が可能になるまでのダウンタイムを低減し、生産性の低下を低減できる。
【００４０】
図６（ａ）は前のジョブで単色モードを用いてプリントし、次のジョブで単色モードを用いてプリントした場合のタイミング図である。図６（ａ）に示すように、前のジョブの画像形成終了すると（ｔ５１）、ポリゴンモータの回転を停止し、さらに単色モード状態の中間転写ベルト９をカラーモード状態へ移行を開始する（ｔ５２）。転写シートに転写しきれなかった中間転写ベルト９上に残ったトナーを中間転写ベルトクリーナー27で取り除くために、中間転写ベルト９の回転を続ける。所定時間後、中間転写ベルトクリーニング終了信号に伴い（ｔ５３）、中間転写ベルトの駆動を停止し、プリントジョブの終了となる（ｔ５４）。
【００４１】
次のジョブの画像信号を受信し（ｔ６１）、中間転写ベルト９、ポリゴンモータの回転を開始し（ｔ６２）、さらに画像信号がカラーか白黒かの判断を行う。この場合、白黒画像なので、中間転写ベルト９を単色モード状態へ移行を開始する（ｔ６２）。ポリゴンモータの回転が安定し（ｔ６３）、画像形成前の待機時間が経過した後に、単色モードでの画像形成を開始する（ｔ６４）。
【００４２】
この場合では単色モードであり、テンションローラ６のアライメントがずれても、色ズレと言う問題は発生しない。このため、中間転写ベルト９のアライメント補正を行うことなく画像形成することができる。これにより、単色画像形成後にさらに単色画像の形成する場合（単数色画像形成モード終了後にさらに単数色画像形成モードに切り替える場合）には、クリーニング時間、待機時間を短く設定することも可能となり、画像形成が可能になるまでのダウンタイムを低減し、生産性の低下を低減できる。
【００４３】
図６（ｂ）は前のジョブでカラーモードを用いてプリントし、次のジョブでカラーモードを用いてプリントした場合のタイミング図である。図６（ｂ）に示すように、前のジョブの画像形成終了すると（ｔ７１）、ポリゴンモータの回転を停止する（ｔ７２）。この時、転写フレーム28を動作させずに中間転写ベルト９はカラーモード状態を維持する。転写シートに転写しきれなかった中間転写ベルト９上に残ったトナーを中間転写ベルトクリーナー27で取り除くクリーニングを行うために、中間転写ベルト９の回転を続ける。そしてクリーニング時間経過後、中間転写ベルトクリーニング終了信号に伴い（ｔ７３）、中間転写ベルト９の駆動を停止し、プリントジョブの終了となる（ｔ７４）。
【００４４】
次のジョブの画像信号を受信し（ｔ８１）、中間転写ベルト９、ポリゴンモータの回転を開始し（ｔ８２）、さらに画像信号がカラーか単色かの判断を行う。ポリゴンモータの回転が安定し（ｔ８３）、画像形成前の待機時間が経過した後に、カラーモードでの画像形成を開始する（ｔ８４）。
【００４５】
この場合では、中間転写ベルト９はモード変更せず、テンションローラ６のアライメントがずれることがない。このため、中間転写ベルト９のアライメント補正を行うことなく画像形成することができる。これにより、カラー画像形成後にさらにカラー画像の形成する場合（複数色画像形成モード終了後にさらに複数色画像形成モードに切り替える場合には、単色画像形成終了後に複数色画像形成モードに切り替える場合）には、クリーニング時間、待機時間を短く設定することも可能となり、画像形成が可能になるまでのダウンタイムを低減し、生産性の低下を低減できる。
【００４６】
尚、本発明は、中間転写ベルトを用いた中間転写方式の画像形成装置に限定されるものではない。本発明は、感光体ドラム１上に形成された各色の現像剤像が転写される転写材を搬送する転写材搬送ベルト（無端ベルト）を用いた直接転写方式の画像形成装置にも適用できる。この場合には、中間転写ベルト９のクリーニング時間に変えて、感光体ドラム１のクリーニング時間を用いて中間転写ベルト９のアライメント補正を行う。
【００４７】
また、本実施形態では、待機時間（ポリゴンモータの回転が安定するまでの時間）（ｔ２１〜ｔ２３）を用いて中間転写ベルト９のアライメント補正を行うこととしたが、クリーニング時間内に中間転写ベルト９のアライメント補正を行ってもよい。
【００４８】
また、本実施形態では、画像形成装置としてフルカラー複写機の構成を説明したが、本発明は複写機に限定するものではない。本発明は、電子写真プロセスにより画像形成を行うもの、例えばフルカラープリンタやフルカラーファクシミリ装置等においても有効である。
【００４９】
また、光学走査による読み取り系やレーザー光を走査する書き込み系、熱と圧力により画像を定着させる定着系等も本発明の適応範囲を制限するものではない。本発明は受光素子が二次元に配列されたエリアセンサによる読み取り系やＬＥＤによる書き込み系、フラッシュ露光による定着系などあらゆる手段にも適応できる。
【００５０】
また、本実施形態の画像形成装置は、カラーモード時には、感光体ドラム１Ｃ、１Ｍ、１Ｙ、１Ｋが中間転写ベルト９と接触し、白黒モード時には、感光体ドラム１Ｋのみが中間転写ベルト９と接触する構成とした。しかし、本発明はかかる構成の画像形成装置に限定されるものではなく、さらに特色（透明、薄いマゼンタ等）の画像形成にのみ関与する感光体ドラムを備えたものにも適用できる。かかる特色の画像形成にのみ用いられる感光体ドラムは、カラー画像形成時、白黒画像形成時には、中間転写ベルト９には接触しないようになっている。
【００５１】
例えば、白黒モード時には、感光体ドラム１Ｋのみが中間転写ベルト９と接触し、カラーモード時には、カラー画像形成に関与する全ての感光体ドラム１Ｃ、１Ｍ、１Ｙ、１Ｋが中間転写ベルト９と接触し、特色モード時には、特色画像形成に関与する全ての感光体ドラムが中間転写ベルト９と接触する。
【００５２】
[他の実施形態]
次に本発明に係る画像形成装置の他の実施形態について図を用いて説明する。上記第一実施形態と説明の重複する部分については、同一の符号を付して説明を省略する。本実施形態にかかる画像形成装置は、上記第一実施形態のイエロー、マゼンタ、シアン、ブラックの４色に加えて、特色である淡マゼンタ、淡シアンの２色の感光体ドラム１ＬＭ、１ＬＣを加えたものである。また、複数色画像形成モードとして、上記第一実施形態のカラーモードである４色モードに加えて、６色の感光体ドラム１が関与する６色モードを有している。
【００５３】
図７は本実施形態にかかる像担持体及び中間転写ベルトの周辺構成図である。中間転写ユニット21は、テンションローラ６、テンションスプリング７、転写駆動ローラ10、アイドラローラ11、転写ローラ８、中間転写ベルト９、接離手段である転写フレーム28から構成されている。なお、図７において各符号の添え字（Y、M、C、K、LM、LC）は、それぞれイエロー、マゼンタ、シアン、ブラック、淡マゼンタ、淡シアンのためのパーツであることを示す。
【００５４】
転写駆動ローラ10、アイドラローラ11は、本体枠（不図示）に固定されている。テンションローラ６、テンションスプリング７、転写ローラ８Ｋ、８Ｃ、８Ｍ、８Ｙは、転写フレーム28に支持されている。転写フレーム28はローラ５０、５１を中心に回動可能である。
【００５５】
図７（Ａ）に示すように、６色モード時には、全ての感光体ドラム１C、１M、１Ｙ、１Ｋ、１ＬＭ、１ＬＣと中間転写ベルト９とが接触している。また、図７（Ｂ）に示すように、４色モード時には、感光体ドラム１Ｃ、１Ｍ、１Ｙ、１Ｋと中間転写ベルト９とが接触しており、画像形成に関与しない感光体ドラム１LM、１LCは中間転写ベルト９と離間している。さらに、図７（Ｃ）に示すように、白黒モード時には、感光体ドラム１Ｋのみが中間転写ベルト９と接触しており、画像形成に関与しない感光体ドラム１Ｃ、１Ｍ、１Ｙ、１LM、１LCは中間転写ベルト９と離間している。
【００５６】
図８は他の実施形態にかかる画像形成動作のフローチャートである。図８に示すように、原稿台16に置かれた原稿がリーダーユニット17により光学的に読み取られ、画像データがレーザースキャナユニット18に伝えられる（画像データが画像形成装置に入力される）と（８０１）、出力モードを6色モード、4色モード、白黒モードの選択を行う（８０２）。
【００５７】
写真画質の出力画像（６色モード）を選択した場合は、中間転写ベルト９及び、感光体ドラム１、ポリゴンモータ（不図示）の駆動を開始する（８０３ａ）。この時、６色モードであるので色ズレが発生するため、中間転写ベルト９がリブ30に接触するまで中間転写ベルト９を回転し、中間転写ベルト９のアライメント補正を行う（８０４ａ）。
【００５８】
オフィスカラー画質の出力画像（４色モード）を選択した場合も同様に、中間転写ベルト９及び、感光体ドラム１、ポリゴンモータ（不図示）の駆動を開始する（８０３ｂ）。この時、４色モードであるので色ズレが発生するため、中間転写ベルト９がリブ30に接触するまで中間転写ベルト９を回転し、中間転写ベルト９のアライメント補正を行う（８０４ｂ）。
【００５９】
白黒画像（単色モード）の場合は、中間転写ベルト９及び、感光体ドラム１、ポリゴンモータ（不図示）の駆動開始に加えて、さらに中間転写ベルト９の離間を行う（８０３ｃ）。この時、単色モードであるので色ズレが発生しないため、中間転写ベルト９のアライメント補正は行わない。
【００６０】
６色モード及び４色モードの場合には中間転写ベルト９がリブ30に接触した後、単色モードの場合には中間転写ベルト９の離間をした後、ポリゴンモータの回転数が画像形成時に必要となる所定回転数に達したかどうかを判断する（８０５）。
【００６１】
所定回転数に達した場合は、レーザースキャナユニット18は、画像信号に基づき、レーザー発信ユニット（不図示）からのレーザー光を、ポリゴンミラーにて走査すると共に、幾つかの光学レンズ（不図示）を通し折り返しミラー24で光路を導き感光体ドラム１へ照射する。
【００６２】
感光体ドラム１がリーダーユニット17により読み取った画像信号と同期回転することで、レーザースキャナユニット18からの走査レーザー光によって感光体ドラム１上に潜像が形成される（８０６）。
【００６３】
感光体ドラム１に形成された潜像は、現像手段たる現像ユニット３によってトナーにより可視化（現像）がなされる。可視化された画像は、転写ローラ８により、無端ベルトである中間転写ベルト９に転写される（８０７）。
【００６４】
単色モードの場合は、ブラックのみ上記動作を行う。６色モードの場合は、上記プロセスを連続的に淡マゼンタ、淡シアン、イエロー、シアン、マゼンタ、ブラックの各色毎に行い、４色モードの場合は、上記プロセスを連続的にイエロー、シアン、マゼンタ、ブラックの各色毎に行い、中間転写ベルト９が矢印Ｚ方向にプロセススピードを保って動くことに伴い、各色のトナー像が中間転写ベルト９に順次重ねて転写される。
【００６５】
一方、転写材である転写シート（不図示）は給送カセット26に積載されている。転写シートは給送ローラ25によりピックアップされ、転写シート搬送路22に沿って複数の搬送ローラ（不図示）により搬送される。そして、転写駆動ローラ10と転写外ローラ13のニップにて、中間転写ベルト９に転写された各色のトナー像が、転写シートに転写される（８０８）。その後、各色のトナー像が定着ユニット19で熱と圧力を加えられることにより、転写シート上に定着され排出される。
【００６６】
転写シートへの転写が終了すると（８０９）、常に中間転写ベルト９を６色モード側に移動する（８１０）。即ち、４色モード、及び単色モードで画像形成を行った場合は、中間転写ベルト９を感光体ドラム１に接触させるように移動する。
【００６７】
感光体ドラム１上に残ったトナーはクリーニングユニット２で回収され、感光体ドラム１がクリーニングされる。また、中間転写ベルト９上に残ったトナーは、中間転写ベルトクリーナー27で回収され、中間転写ベルト９がクリーニングされる。中間転写ベルト９のクリーニングが終了した時点で、プリントジョブが終了する（８１１）。
【図面の簡単な説明】
【００６８】
【図１】第一実施形態にかかる画像形成装置の構成図である
【図２】像担持体及び中間転写ベルトの周辺の構成図である。
【図３】中間転写ユニットの上視図である。
【図４】画像形成動作のフローチャートである。
【図５】図５（ａ）は単色モードからカラーモードでプリントした場合のタイミング図である。図５（ｂ）はカラーモードから単色モードでプリント場合のタイミング図である。
【図６】図６（ａ）は単色モードから単色モードでプリントした場合のタイミング図である。図６（ｂ）はカラーモードからカラーモードでプリントした場合のタイミング図である。
【図７】第二実施形態にかかる像担持体及び中間転写ベルトの周辺構成図である。
【図８】第二実施形態にかかる画像形成動作のフローチャートである。
【符号の説明】
【００６９】
１…感光体ドラム（像担持体に対応）２…クリーニングユニット３…現像ユニット６…テンションローラ７…テンションスプリング８…転写ローラ９…中間転写ベルト（無端ベルトに対応）10…転写駆動ローラ11…アイドラローラ13…転写外ローラ16…原稿台17…リーダーユニット18…レーザースキャナユニット19…定着ユニット21…中間転写ユニット22…転写シート搬送路23…ポリゴンミラー24…折り返しミラー25…給送ローラ26…給送カセット27…中間転写ベルトクリーナー28…転写フレーム（接離手段に対応）30…リブ
【図１】
2006163245.tif 000003
【図２】
2006163245.tif 000004
【図３】
2006163245.tif 000005
【図４】
2006163245.tif 000006
【図５】
2006163245.tif 000007
【図６】
2006163245.tif 000008
【図８】
2006163245.tif 000009
【図７】
2006163245.tif 000010